(57)【要約】【課題】小さい面積の箱体形成片で形成され、高い緩衝機能を有し、確実に収容物を保護することができる緩衝機能付包装用箱を提供する。【解決手段】一枚の箱体形成片１２から成り、筒体に組み立てられた側面１４，１６，１８，２０と、筒体の下方の開口端部を閉鎖する底部１０８を有する。互いに対向する一対の側面１６，２０の下端部に連接して、底部１０８の内側に重ねられる一対のフラップ４８，９２と、緩衝部５１を各々備える。緩衝部５１は、フラップ４８，９２の端部に連接し、所定角度で立ち上がる立ち上がり片５２と、支持片５４，６８を有する。支持片５４，６８は、下側支持片６８と、収容物側に位置する上側支持片５４から成る。上側支持片５４は、側面１６，２０から離れるにつれて底部１０８に近づく方向に傾斜し、収容物の底面に当接する。【選択図】図１
2019099264.tif 000002
【特許請求の範囲】
【請求項１】
一枚の箱体形成片から成り、筒体に組み立てられた側面と、前記筒体の下方の開口端部を閉鎖する底部と、互いに対向する前記一対の側面の下端部に連接して設けられ前記底部の内側に重ねられる一対のフラップと、前記一対のフラップに連続して緩衝部が各々設けられ、
前記緩衝部は、前記フラップの端部に連接し前記フラップから所定角度で立ち上がる立ち上がり片と、前記立ち上がり片の端部と前記フラップが設けられた前記側面の高さの途中部分に連続する支持片が設けられ、
前記支持片は、前記筒体の底部側に位置する下側支持片と、前記下側支持片に対して前記底部と反対側に位置し筒体に入れた収容物側に位置する上側支持片とから成り、前記上側支持片は前記側面から離れるにつれて前記底部に近づく方向に傾斜して設けられ、前記収容物の底面に傾斜して当接することを特徴とする緩衝機能付包装用箱。
【請求項２】
前記上側支持片と前記下側支持片は、前記立ち上がり片との連接方向に交差する緩衝用折曲線がそれぞれ設けられ鈍角で谷状に折り曲げられ、前記下側支持片の前記各緩衝用折曲線は、前記上側支持片の前記各緩衝用折曲線の垂直方向の下方に一致せず水平方向へずれた位置にあり、
前記下側支持片は、前記上側支持片よりも前記立ち上がり片との連接方向の長さが長く設けられ、前記下側支持片の前記立ち上がり片側の端部は、前記立ち上がり片の、前記上側支持片から離間した位置に設けられている請求項１記載の緩衝機能付包装用箱。
【請求項３】
前記立ち上がり片は、前記フラップに対して内側の角度が鈍角に立ち上がり、前記各支持片は、前記立ち上がり片に対して内側の角度が鋭角に折り曲げられている請求項１記載の緩衝機能付包装用箱。
【請求項４】
前記上側支持片の、前記立ち上がり片と反対側の端部には前記側面に糊付けされる上側支持片糊付け部が設けられ、前記下側支持片の両端部には前記側面に糊付けされる下側支持片糊付け部と、前記立ち上がり片に糊付けされる立ち上がり片糊付け部が設けられ、前記緩衝部は、前記立ち上がり片、前記上側支持片、前記上側支持片糊付け部、前記下側支持片糊付け部、前記下側支持片、前記立ち上がり片糊付け部の順で、各々折罫線を介して連接して設けられている請求項１記載の緩衝機能付包装用箱。
【発明の詳細な説明】
【技術分野】
【０００１】
この発明は、箱体と一体に緩衝用仕切りが設けられ、収容物を緩衝的に保護して収容する緩衝機能付包装用箱に関する。
【背景技術】
【０００２】
従来、ブランクシートから一体的に打ち抜かれた箱体形成片を折り曲げて糊付けし、組み立てて形成された包装用箱がある。この様な包装用箱には、ガラス瓶等の衝撃に弱い収容物を保持するための緩衝用の仕切り片が箱体形成片に一体に設けられているものがある。
【０００３】
例えば、特許文献１に開示されている包装用箱は、互いに連接された側面と、連接された側面を組み立てて形成される筒体の一開口端部を閉鎖する底蓋片と、他方の開口端部を閉鎖する上蓋片からなる箱本体が形成されている。前記側面の１つには、箱本体の内側に接着される３つの内壁が連接して設けられている。３つの内壁のうち、両側の２つの内壁の下端部には、下ホールド部が一体に設けられ、組立状態の時に箱本体の下部両側に位置する。各下ホールド部には、下緩衝片と、下支え緩衝片と、貼着片が折り目を介して連続して設けられている。下緩衝片は、箱体の組立状態の時に、側面の途中から箱本体内下方へ傾斜突出し、収容物の下端部の両側の角部が当接し、収容物を緩衝的に保持することができる。
【先行技術文献】
【特許文献】
【０００４】
【特許文献１】特開２００５−２５５２２４号公報
【発明の概要】
【発明が解決しようとする課題】
【０００５】
上記背景技術の場合、収容物を１枚の下緩衝片のみで支えるため、緩衝機能が十分ではない。また、下ホールド部を設けるために３つの内壁が設けられているため、箱体形成片の面積が大きいものであり、ブランクシートの歩留まりが良くないという問題もある。
【０００６】
この発明は、上記背景技術の問題点に鑑みてなされたものであり、小さい面積の箱体形成片で形成され、高い緩衝機能を有し、確実に収容物を保護することができる緩衝機能付包装用箱を提供することを目的とする。
【課題を解決するための手段】
【０００７】
本発明は、一枚の箱体形成片から成り、筒体に組み立てられた側面と、前記筒体の下方の開口端部を閉鎖する底部と、互いに対向する前記一対の側面の下端部に連接して設けられ前記底部の内側に重ねられる一対のフラップと、前記一対のフラップに連続して緩衝部が各々設けられている緩衝機能付包装用箱である。前記緩衝部は、前記フラップの端部に連接し前記フラップから所定角度で立ち上がる立ち上がり片と、前記立ち上がり片の端部と前記フラップが設けられた前記側面の高さの途中部分に連続する支持片が設けられている。前記支持片は、前記筒体の底部側に位置する下側支持片と、前記下側支持片に対して前記底部と反対側に位置し前記緩衝機能付包装用箱に入れた収容物側に位置する上側支持片とから成り、前記上側支持片は前記側面から離れるにつれて前記底部に近づく方向に傾斜して設けられ、前記収容物の底面に傾斜して当接する。
【０００８】
前記上側支持片と前記下側支持片は、前記立ち上がり片との連接方向に交差する緩衝用折曲線がそれぞれ設けられ鈍角で谷状に折り曲げられ、前記下側支持片の前記各緩衝用折曲線は、前記上側支持片の前記各緩衝用折曲線の垂直方向の下方に一致せず水平方向へずれた位置にある。前記下側支持片は、前記上側支持片よりも前記立ち上がり片との連接方向の長さが長く設けられ、前記下側支持片の前記立ち上がり片側の端部は、前記立ち上がり片の、前記上側支持片から離間した位置に設けられている。このため収容物に上下の移動があっても緩衝用折曲線の角度が変わりにくく、クッション機能が高い。さらに、前記下側支持片には、前記緩衝用折曲線に対して交差する方向に複数本の補助罫線が形成されていると良い。
【０００９】
前記立ち上がり片は、前記フラップに対して内側の角度が鈍角に立ち上がり、前記各支持片は、前記立ち上がり片に対して内側の角度が鋭角に折り曲げられている。
【００１０】
前記上側支持片の、前記立ち上がり片と反対側の端部には前記側面に糊付けされる上側支持片糊付け部が設けられ、前記下側支持片の両端部には前記側面に糊付けされる下側支持片糊付け部と、前記立ち上がり片に糊付けされる立ち上がり片糊付け部が設けられ、前記緩衝部は、前記立ち上がり片、前記上側支持片、前記上側支持片糊付け部、前記下側支持片糊付け部、前記下側支持片、前記立ち上がり片糊付け部の順で、各々折罫線を介して連接して設けられている。
【００１１】
前記一対のフラップは、組み立て状態で互いに対向する方向の長さの和が、前記底部よりも短く形成されて前記一対のフラップの間に隙間が生じ、前記フラップに連続する一対の緩衝部も互いに離間している。
【発明の効果】
【００１２】
本発明の機能付包装用箱は、小さい面積の箱体形成片で形成され、高い緩衝機能を有し、確実に収容物を保護することができる。収容物に当接する支持片は、上側支持片と下側支持片の二層構造であり、下側支持片は、上側支持片を支えるバネの機能を有し、クッション性が高く、安全性が高い。従って、収容物に大きい力が加えられても、確実に保持することができ、外部からの衝撃も吸収し、落下等の衝撃等を受けても破損を防ぐことができる。
【図面の簡単な説明】
【００１３】
【図１】この発明の一実施形態の緩衝機能付包装用箱の縦断面図である。
【図２】この実施形態の緩衝機能付包装用箱の展開図である。
【図３】この実施形態の緩衝機能付包装用箱の組立工程を示す裏面から見た展開図である。
【図４】この実施形態の緩衝機能付包装用箱の組立工程を示す裏面から見た展開図である。
【図５】この実施形態の緩衝機能付包装用箱の組立工程を示す縦断面図である。
【発明を実施するための形態】
【００１４】
以下、この発明の実施形態について図面に基づいて説明する。図１はこの発明の一実施形態を示すもので、この実施形態の緩衝機能付包装用箱１０は、紙製のブランクシートを打ち抜いて形成された箱体形成片１２を組み立てて設けられている。図２は箱体形成片１２を表面から見た展開図であり、箱体形成片１２は、側面１４，１６，１８，２０が、互いに平行に連接して形成されている。側面１４，１６，１８，２０はほぼ同じ矩形であり、さらに側面２０の側縁部には、緩衝機能付包装用箱１０の組立状態で側面１４の裏面に糊付けされる糊付片２２が設けられている。側面１４，１６，１８，２０、糊付片２２は、各々折罫線２４，２６，２８，３０で区切られて設けられている。
【００１５】
側面１４において、側面同士の連接方向に対して直角な方向の一端部には、矩形の内側上蓋片３２が折罫線３４で区切られて設けられている。側面１４の、折罫線３４に隣接する部分には、コの字形の開封用破断線３６が設けられている。開封用破断線３６は、折罫線３４から離れる方向に膨出するコの字形で形成され、開封用破断線３６の両端部は、折罫線３４に達し、さらに折罫線３４に沿って互いに離れる方に延出している。開封用破断線３６と折罫線３４で囲まれた矩形の部分は、緩衝機能付包装用箱１０を開封する際の押し部３８となる。側面１４の、折罫線３４と反対側の端部には、矩形の内側底蓋片４０が折罫線４２で区切られて設けられている。
【００１６】
側面１６の、側面１４の折罫線３４に隣接する部分には、側面１６の端部を下底とする小さい台形状のフラップ４４が折罫線４６で区切られて設けられている。側面１６の、折罫線４６と反対側の端部にも、側面１６の端部を下底とする小さい台形状のフラップ４８が折罫線５０で区切られて設けられている。フラップ４８は、折罫線５０に対して直角方向の長さは、フラップ４４よりもわずかに短く、また緩衝機能付包装用箱１０を組み立てた時の底部１０８の中心に達しないものである。
【００１７】
フラップ４８の、折罫線５０と反対側の端部４８ａには、緩衝部５１が、折罫線５８で区切られて連続して設けられている。緩衝部５１は、まず、端部４８ａに連接して、立ち上がり片５２と、上側支持片５４、上側支持片糊付け部５６が順に設けられ、端部４８ａに対して平行な折罫線６０，６２で各々区切られている。立ち上がり片５２と、上側支持片５４、上側支持片糊付け部５６は、連接方向に交差する幅が互いに同じ矩形であり、フラップ４８の端部４８ａよりわずかに短い。連接方向の長さは互いに異なり、立ち上がり片５２はフラップ４８より少し長く、上側支持片５４は立ち上がり片５２よりも長く、上側支持片糊付け部５６は一番短くフラップ４８よりもわずかに短い。
【００１８】
上側支持片５４には、折罫線６０，６２に対して平行な緩衝用折曲線６４が設けられ、上側支持片糊付け部５６側の当接面５４ａと、立ち上がり片５２側の被当接面５４ｂに区切られている。なお、当接面５４ａは、後述する収容物である錠剤入り薬瓶１１に当接する面であり、被当接面５４ｂは錠剤入り薬瓶１１に当接しない。緩衝用折曲線６４は、折罫線６０よりも折罫線６２に近い位置にあり、当接面５４ａは、被当接面５４ｂよりも連接方向の長さが短い。
【００１９】
上側支持片糊付け部５６の、折罫線６２と反対側の端部５６ａには、緩衝部５１の一部である下側支持片糊付け部６６と、下側支持片６８、立ち上がり片糊付け部７０が順に連接して設けられ、端部５６ａに対して平行な折罫線７２，７４，７６で各々区切られている。下側支持片糊付け部６６と、下側支持片６８、立ち上がり片糊付け部７０は、連接方向に交差する幅が互いに同じ矩形であり、上側支持片糊付け部５６の端部５６ａよりわずかに短い。連接方向の長さは互いに異なり、下側支持片糊付け部６６は連接する上側支持片糊付け部５６よりわずかに長く、緩衝機能付包装用箱１０の組み立て状態で上側支持片糊付け部５６に重ねられて糊付けされた時に折罫線７４側の端部がわずかに下方に位置する。下側支持片６８は、下側支持片糊付け部６６より長く、さらに組み立て状態で離間して沿う上側支持片５４よりもわずかに長い。立ち上がり片糊付け部７０は、下側支持片６８と下側支持片糊付け部６６よりも短く、組み立て状態で糊付けされる立ち上がり片５２よりも短い。
【００２０】
下側支持片６８には、折罫線７４，７６の中間に、折罫線７４，７６に対して平行な緩衝用折曲線７７が設けられている。また、下側支持片６８を撓みにくくする補助罫線７８も４本設けられている。各補助罫線７８は、折罫線７４，７６に対して直角であり、互いに等間隔であり、折罫線７４，７６に達しない長さで形成されている。緩衝用折曲線７７と補助罫線７８は、例えば押し型で設けられている。
【００２１】
側面１８の、側面１６の折罫線４６に隣接する部分には、矩形の外側上蓋片８０が折罫線８２で区切られて設けられ、外側上蓋片８０は内側上蓋片３２よりも少し大きい。側面１８の、折罫線８２と反対側の端部には、矩形の外側上蓋片８４が折罫線８６で区切られて設けられ、外側底蓋片８４は内側底蓋片４０よりも少し大きい。
【００２２】
側面２０の、側面１８の折罫線８２に隣接する部分には、フラップ４４と同形状のフラップ８８が折罫線９０で区切られて設けられている。側面２０の、折罫線９０と反対側の端部には、フラップ４８と同形状のフラップ９２が折罫線９４で区切られて設けられている。
【００２３】
フラップ９２の、折罫線９４と反対側の端部９２ａにも、緩衝部５１が折罫線５８で区切られて連続して設けられている。緩衝部５１は、フラップ９２の端部９２ａに連接して、立ち上がり片５２、上側支持片５４、上側支持片糊付け部５６、下側支持片糊付け部６６、下側支持片６８、立ち上がり片糊付け部７０が、折罫線６０，６２，７２，７４，７６で区切られて設けられている。上側支持片５４には緩衝用折曲線６４が設けられ、上側支持片糊付け部５６側の当接面５４ａと、立ち上がり片５２側の被当接面５４ｂとに区切られている。下側支持片６８には、緩衝用折曲線７７と補助罫線７８が設けられている。
【００２４】
次に、この実施形態の緩衝機能付包装用箱１０の組立方法の一例について説明する。なお、ここでは図２が緩衝機能付包装用箱１０の箱体形成片１２の表側を見たものであり、箱体形成片１２の表面が凸になる折り方を正折り、そして裏面が凸になる折り方を逆折りと称する。
【００２５】
まず、一対の立ち上がり片糊付け部７０の裏面に糊９８を塗布し、一対の上側支持片糊付け部５６の裏面に糊９６を塗布し、折罫線７２を正折りする。すると、立ち上がり片糊付け部７０の裏面は糊９８により立ち上がり片５２の裏面に糊付けされ、上側支持片糊付け部５６の裏面は糊９６により下側支持片糊付け部６６の裏面に糊付けされ、図３に示す状態となる。なお図３は、箱体形成片１２の裏面を見たものである。
【００２６】
次に、下側支持片糊付け部６６の表面に、糊１００を塗布し、折罫線５８を正折りする。すると、下側支持片糊付け部６６の表面は糊１００により側面１６又は側面２０の裏面に糊付けされ、図４に示す状態となる。なお、図４は、図３と同様に、箱体形成片１２の裏面を見たものである。
【００２７】
次に、糊付片２２の表面に糊１０２を塗布し、折罫線２８を正折りし、次に折罫線２４を正折りする。これにより、側面１４の裏面は糊１０２により糊付片２２の表面に糊付けされ、折り畳み状態となり、この状態で箱体形成片１２による折り畳み状態の緩衝機能付包装用箱１０が、収容物を包装する工場へ出荷される。
【００２８】
次に、収容物を収容し包装する工場において、折罫線２４，２６，２８，３０を各々９０°に正折りして四角形の筒体にする。次に、外側上蓋片８０の裏面に、折罫線８２と反対側の端部に沿って糊１０４を塗布し、折罫線４６，９０でフラップ４４，８８を９０°に正折りし、内側上蓋片３２を折罫線３４で正折りし、次に外側上蓋片８０を折罫線８２で９０°に正折りする。これにより、外側上蓋片８０の裏面は内側上蓋片３２の表面に糊１０４により糊付けされ、一方の端面が形成される。
【００２９】
そして他方の端面から収容物である錠剤入り薬瓶１１を入れる。そして、折罫線５０，９４でフラップ４８，９２を９０°に正折りする。すると、図５に示す状態を通過し、図１に示すように、立ち上がり片５２はフラップ４８，９２に対して折罫線５８で、内側の角度が鈍角に立ち上がり、上側支持片５４は立ち上がり片５２に対して折罫線６０で、内側の角度が鋭角に折り曲げられ、上側支持片５４の折罫線６２側の端部は側面１６，２０に糊付けされた上側支持片糊付け部５６に連続し、立ち上がり片５２と上側支持片５４は変形したコの字形に組み立てられる。また、上側支持片糊付け部５６と側面１６の間に挟まれて糊付けされた下側支持片糊付け部６６の折罫線７４側の端部から、下側支持片６８が、上側支持片５４の下方に離間しながら沿って位置し、立ち上がり片５２に糊付けされた立ち上がり片糊付け部７０に達する。これにより、上側支持片５４と下側支持片６８は二重構造となる。下側支持片６８は上側支持片５４よりも連接方向の長さがわずかに長いため、緩衝用折曲線７７がわずかに逆折りされる。このように緩衝部５１が組み立てられ、緩衝部５１はフラップ４８，９２に各々設けられているため、一対の緩衝部５１が互いに対面して、離間して設けられる。
【００３０】
次に、外側底蓋片８４の裏面に、折罫線８６と反対側の端部に沿って糊１０６を塗布し、内側底蓋片４０を折罫線４２で９０°に正折りし、次に外側上蓋片８４を折罫線８６で９０°に正折りする。これにより、外側上蓋片８４の裏面は内側底蓋片４０の表面に糊１０６により糊付けされ、筒体の他方の端面が閉鎖され、箱体の底部１０８が形成される。
【００３１】
図１に示すように、対向する一対の緩衝部５１は、底部１０８に押さえられて立体形状を維持する。錠剤入り薬瓶１１の底面の、周縁部の直径方向に位置する２か所が、上側支持片５４の当接面５４ａに当接し、錠剤入り薬瓶１１により下方に押されて、上側支持片５４は緩衝用折曲線６４でわずかに逆折りされ、谷状に折り曲げられる。この時、当接面５４ａは底部１０８に対して鋭角で４５°程度となり、被当接面５４ｂは底部１０８に対して鈍角で水平に近い傾斜となる。
【００３２】
なお、下側支持片６８は、緩衝用折曲線７７よりも下側支持片糊付け部６６に近い部分は、緩衝用折曲線７７に近づくほど上側支持片５４から離れる方向に傾斜し、緩衝用折曲線７７よりも立ち上がり片糊付け部７０に近い部分は、立ち上がり片糊付け部７０に近づくほど上側支持片５４に近づく方向に傾斜し、緩衝用折曲線７７が最も上側支持片５４から離れた状態となり、谷状に折り曲げられる。緩衝用折曲線７７は、緩衝用折曲線６４の垂直方向の下方ではなく、立ち上がり片糊付け部７０側へずれた位置にある。そして、下側支持片６８の端部に位置する折罫線７６は、立ち上がり片５２の端部に位置する折罫線６０よりも底部１０８に近い位置にある。このことから、下側支持片６８は上側支持片５４を支えるバネの機能を持つ。つまり錠剤入り薬瓶１１に下向きの力がかかって上側支持片５４の緩衝用折曲線６４の角度が変化する時、下側支持片６８の弾性で角度の変化を小さく抑えることができる。下側支持片６８には補助罫線７８が形成され、曲げ強度が高くなり、復元力も高い。
【００３３】
この実施形態の緩衝機能付包装用箱１０によれば、小さい面積の箱体形成片１２で形成され、高い緩衝機能を有し、確実に収容物である錠剤入り薬瓶１１を保護することができる。錠剤入り薬瓶１１は一対の上側支持片５４の傾斜した当接面５４ａに、底部の直径方向の２か所が当接して保持され、傾斜面に挟持されて隙間が無く、がたつくことが無い。上側支持片５４は緩衝用折曲線６４で折り曲げられて弾性を有し、錠剤入り薬瓶１１に下向きの力がかかったり上下に振動したりする時に、緩衝用折曲線６４の折り曲げ角度が変化してクッション効果があり、振動を吸収することができる。下側支持片６８は、上側支持片５４を支えるバネの機能を有し、緩衝用折曲線６４の角度の変化を小さく抑えることができ、錠剤入り薬瓶１１に大きい力が加えられても、確実に保持することができる。従って、外部からの強い衝撃を吸収し、落下等の衝撃による破損を防ぐことができる。下側支持片６８には、湾曲する方向に沿って補助罫線７８が設けられ、曲げ強度が高くなり、復元力も高いため、高い弾性力を持つことができる。
【００３４】
なお、この発明は上記実施形態に限定されるものではなく、上蓋片や底蓋片、各フラップ等の形状や大きさ、数等、適宜変更可能である。収容物は錠剤入り薬瓶以外にいろいろな物品に使用することができる。箱体形成片の素材は、紙以外に合成樹脂や合成樹脂と紙を積層したもの等、自由に選択可能である。折罫線や補助罫線の本数や長さも、適宜変更可能であり、下側支持片以外に補助罫線が設けられてもよい。折罫線は、折り曲げやすくするために破断線等で設けてもよい。また、箱体の内側に収容物固定のための仕切り等を追加してもよい。立ち上がり片や上側支持片、下側支持片等の連接方向の幅は、上記実施形態以外でも良く、例えば互いに同じでもよい。
【符号の説明】
【００３５】
１０  緩衝機能付包装用箱
１１  薬瓶（収容物）
１２  箱体形成片
１４，１６，１８，２０  側面
４８，９２  フラップ
４８ａ，９２ａ  端部
５１  緩衝部
５２  立ち上がり片
５４  上側支持片
５６  上側支持片糊付け部
５８，６０，６２，７２，７４，７６  折罫線
６４，７７  緩衝用折曲線
６６  下側支持片糊付け部
６８  下側支持片
７０  立ち上がり片糊付け部
７８  補助罫線
１０８  底部
【図１】
2019099264.tif 000003
【図２】
2019099264.tif 000004
【図３】
2019099264.tif 000005
【図４】
2019099264.tif 000006
【図５】
2019099264.tif 000007